(57)【要約】【課題】人工呼吸回路を構成する気管チューブの患者遠位側に配置されるコネクタ構造に関して、酸素供給チューブが誤接続されて患者の呼吸気管内及び肺内圧が上昇することがないように、呼気困難の発生が防止可能とされるコネクタ構造及び人工呼吸用部材を提供すること。【解決手段】人工呼吸機器と、人工呼吸に酸素を供給する酸素供給チューブとを備えた人工呼吸回路において、気管チューブ６と前記人工呼吸機器との間を呼吸気が流通可能に接続するコネクタ構造であって、前記人工呼吸機器側に設けられ、筒状に形成された第１の接続部１２と、前記第１の接続部１２に設けられ前記気管チューブ６との間に呼吸気が流通自在に形成された第１の流路１２Ａとを備え、前記酸素供給チューブが前記第１の流路１２Ａに接続されることにより前記気管チューブ６の内部が外気に対して閉塞されるのを防止する閉塞防止手段１５を備えていることを特徴とする。【選択図】図６
2008125809.tif 000002
【特許請求の範囲】
【請求項１】
気管挿管自在とされる気管チューブと、人工呼吸機器と、人工呼吸に酸素を供給する酸素供給チューブとを備えた人工呼吸回路において用いられ、患者遠位側に配置されるとともに前記人工呼吸機器側の接続部と接続自在とされる第１の接続部と、
前記第１の接続部に形成された孔の内周面により画成され、前記気管チューブ側に連通される第１の流路とを備えたコネクタ構造であって、
前記酸素供給チューブが前記第１の流路に接続されることによって前記気管チューブ側が外気に対して閉塞されるのを防止する閉塞防止手段を備えていることを特徴とするコネクタ構造。
【請求項２】
請求項１記載のコネクタ構造であって、
前記閉塞防止手段は、
前記第１の流路に形成され、前記酸素供給チューブが前記第１の流路に接続されるのを防止する接続防止壁部により構成されていることを特徴とするコネクタ構造。
【請求項３】
請求項１記載のコネクタ構造であって、
前記閉塞防止手段は、
前記第１の流路に形成され、前記酸素供給チューブの外周面との間に通気路を構成可能とする形状部により構成されていることを特徴とするコネクタ構造。
【請求項４】
請求項３記載のコネクタ構造であって、
前記形状部は、
前記内周面に形成され、前記第１の接続部の軸線方向に延在して形成された凸条形状部であることを特徴とするコネクタ構造。
【請求項５】
請求項３記載のコネクタ構造であって、
前記形状部は、
前記内周面に形成され、前記内周面における前記軸線方向と交差する方向に延在して形成された凸条形状部であることを特徴とするコネクタ構造。
【請求項６】
請求項３記載のコネクタ構造であって、
前記形状部は、
前記内周面に形成され、前記気管チューブ側から外気に連通される凹溝形状部により構成されていることを特徴とするコネクタ構造。
【請求項７】
気管挿管自在とされる気管チューブと、人工呼吸機器と、人工呼吸に酸素を供給する酸素供給チューブとを備えた人工呼吸回路において用いられ、気管チューブと、人工呼吸機器との間の患者遠位側に配置されるコネクタ部材であって、
請求項１から請求項６のいずれかに記載のコネクタ構造を備えていることを特徴とするコネクタ部材。
【請求項８】
気管挿管自在とされる気管チューブと、人工呼吸機器と、人工呼吸に酸素を供給する酸素供給チューブとを備えた人工呼吸回路において用いられ、気管チューブと、人工呼吸機器との間の患者遠位側に配置される呼吸用温湿度交換器であって、
請求項１から請求項６のいずれかに記載のコネクタ構造を備えていることを特徴とする呼吸用温湿度交換器。
【請求項９】
気管挿管自在とされる気管チューブと、人工呼吸機器と、人工呼吸に酸素を供給する酸素供給チューブとを備えた人工呼吸回路において用いられ、気管チューブと、人工呼吸機器との間の患者遠位側に配置されるエルボ部材であって、
請求項１から請求項６のいずれかに記載のコネクタ構造を備えたことを特徴とするエルボ部材。
【請求項１０】
人工呼吸回路において用いられ、呼吸気管に挿管自在とされる気管チューブであって、
請求項１から請求項６のいずれかに記載のコネクタ構造を備えたことを特徴とする気管チューブ。
【発明の詳細な説明】
【技術分野】
【０００１】
この発明は、呼吸気管に挿管される気管チューブ又は気管切開チューブ、特にカフ付気管チューブが酸素供給チューブとともに人工呼吸回路において用いられ、患者遠位側に配置されるコネクタ構造及びこの構造を用いた人工呼吸用部材に関し、流路に酸素供給チューブが誤って接続されて患者が呼気困難となることによって気圧外傷（バロトラウマ）が発生するのを防止して患者の安全を確保可能とするものである。
【背景技術】
【０００２】
従来、呼吸管理が必要な患者に対して、カフ付気管チューブ（気管チューブ、気管切開チューブ、以下、気管チューブという）を挿管することによる呼吸管理が広く行なわれており、人工呼吸回路を用いた人工呼吸において呼吸気管内の圧力上昇を防止するために、例えば、特許文献１が開示されている。
【０００３】
図１は、人工呼吸回路１を用いて患者Ｋの気管Ｋ１に気管チューブ６を挿管して呼吸管理を行う場合の例を示す図であり、人工呼吸機器２に接続された呼吸回路４と気管チューブ６との間を呼吸用温湿度交換器（以下、人工鼻という）又はＬ字形に形成されたエルボ部材等の人工呼吸用部材５と、気管チューブ６の患者遠位側に接続されたコネクタ部材１０とを介して呼吸可能に接続され、必要に応じて人工呼吸用部材５に酸素供給チューブ７を接続して酸素（酸素が付加された空気を含む）が供給自在とされている。
【０００４】
この酸素供給チューブ７から供給される酸素は所定の圧力で加圧されているが、患者Ｋが呼気する際には人工呼吸機器２側に呼気とともに移動して外気に排出されるため、気管Ｋ１内の圧力は所定の圧力以上に高くならないようになっている。
【０００５】
図２は、気管チューブ６と、上記人工呼吸回路１における人工呼吸用部材５が人工鼻２０の場合の接続例を示す図であり、気管チューブ６の患者遠位側の開口部にはコネクタ部材１０が接続され、コネクタ部材１０の患者遠位側に位置する第１の接続部１２の外周面１２Ｂにはテーパ部が形成されて、このテーパ部が人工鼻２０の患者側プラグ（人工呼吸機器側の接続部）２４に挿入されて、コネクタ部材１０と人工鼻２０が接続されるようになっている。また、人工鼻２０の患者遠位側には第１の接続部２２が形成されて呼吸回路４の接続部（人工呼吸機器側の接続部）が接続されるようになっている。
【０００６】
図３は、気管チューブ６と、上記人工呼吸回路１における人工呼吸用部材５がエルボ部材３０の場合の接続例を示す図であり、気管チューブ６の患者遠位側に接続されたコネクタ部材１０の第１の接続部１２のテーパ部がエルボ部材３０の患者側プラグ（人工呼吸機器側の接続部）３４に挿入されて、コネクタ部材１０とエルボ部材３０が接続されるようになっており、エルボ部材３０の患者遠位側の第１の接続部３２に呼吸回路４が接続されるようになっている。
一般的に、コネクタ部材１０の第１の接続部１２、人工鼻２０の第１の接続部２２、エルボ部材３０の第１の接続部３２は、１５Ｍ円錐接合（ＩＳＯ  ５３６１）のコネクタ構造が形成されている。
【０００７】
また、図４（Ａ）、（Ｂ）に示した酸素チューブ７０Ａ、７０Ｂは、酸素供給チューブ７の詳細を示す図であり、酸素チューブ７０Ａは、酸素が移送されるチューブ本体７１の先端に移動可能なホルダ７４を有し、酸素供給チューブ７０Ｂはホルダ７４に代えて拡径自在とされ可撓性を有するホルダ７６を有している。ホルダ７４、ホルダ７６は、ともにその内周面が人工鼻２０の酸素供給プラグ２６又はエルボ部材３０の酸素供給プラグ３６の外形を保持するようになっている。
【特許文献１】特開２００５−２８８０４５号公報
【発明の開示】
【発明が解決しようとする課題】
【０００８】
しかしながら、上記人工呼吸回路により人工呼吸をする場合、緊急の措置や検査等により患者を移動させる際に、時間的余裕の不足や作業不慣れに起因して酸素供給プラグから取り外された酸素供給チューブが、例えば、図５（Ａ）、（Ｂ）に示したように、気管チューブ６に接続されたコネクタ部材１０の接続部１２の内周面１２Ｃに、酸素供給チューブ７０Ａ、７０Ｂのホルダ部７４、７６が誤って挿入されることにより流路１２Ａが閉塞され、気管チューブ６の内方と外気との間が閉塞され、その結果、患者Ｋが呼気困難となって肺内圧が上昇することにより気圧外傷になる虞があるという問題がある。
【０００９】
本発明は、このような事情を考慮してなされたものであり、人工呼吸回路を構成する気管チューブの患者遠位側に配置されるコネクタ構造に関して、酸素供給チューブが誤接続されて患者の呼吸気管内及び肺内圧が上昇することがないように、呼気困難の発生が防止可能とされるコネクタ構造及びこの構造を用いた気管チューブ、コネクタ部材、人工鼻、エルボ部材等の人工呼吸用部材を提供することにある。
【課題を解決するための手段】
【００１０】
上記のような課題を解決するために、請求項１に記載の発明は、気管挿管自在とされる気管チューブと、人工呼吸機器と、人工呼吸に酸素を供給する酸素供給チューブとを備えた人工呼吸回路において用いられ、患者遠位側に配置されるとともに前記人工呼吸機器側の接続部と接続自在とされる第１の接続部と、前記第１の接続部に形成された孔の内周面により画成され、前記気管チューブ側に連通される第１の流路とを備えたコネクタ構造であって、前記酸素供給チューブが前記第１の流路に接続されることによって前記気管チューブ側が外気に対して閉塞されるのを防止する閉塞防止手段を備えていることを特徴とする。
【００１１】
この発明に係るコネクタ構造によれば、コネクタ構造が閉塞防止手段を備えているので、酸素供給チューブがコネクタ構造の第１の流路に接続されることによって、気管チューブ内が外気に対して閉塞されることがない。その結果、気管チューブ内の呼気が排出不能となる呼気困難の発生が防止されるとともに、酸素供給チューブから供給された酸素により気管チューブ内の圧力が所定の値以上に上昇するのが防止される。
【００１２】
請求項２に係る発明は、請求項１記載のコネクタ構造であって、前記閉塞防止手段は、前記第１の流路に形成され、前記酸素供給チューブが前記第１の流路に接続されるのを防止する接続防止壁部により構成されていることを特徴とする。
【００１３】
この発明に係るコネクタ構造によれば、コネクタ構造の第１の流路に接続防止壁部が形成されて酸素供給チューブが前記流路に挿入されるのが防止される。その結果、第１の流路が酸素供給チューブによって閉塞されることがなく、呼気が気管チューブ内から外気に排出可能とされる。
【００１４】
請求項３に係る発明は、請求項１記載のコネクタ構造であって、前記閉塞防止手段は、前記第１の流路に形成され、前記酸素供給チューブの外周面との間に通気路を構成可能とする形状部により構成されていることを特徴とする。
【００１５】
この発明に係るコネクタ構造によれば、第１の接続部の流路に酸素供給チューブの外周面との間に通気路を構成可能とする形状部が形成されているので、たとえコネクタ構造の第１の接続部の流路に誤って酸素供給チューブが挿入されても、第１の接続部の内周面と酸素供給チューブの外周面との間には通気路が確保される。その結果、気管チューブ内が外気に対して閉塞されることが防止されて、気管チューブ内の呼気を外気に確実に排出させることができる。
【００１６】
請求項４に係る発明は、請求項３記載のコネクタ構造であって、前記形状部は、前記内周面に形成され、前記第１の接続部の軸線方向に延在して形成された凸条形状部であることを特徴とする。
【００１７】
この発明に係るコネクタ構造によれば、第１の流路を画成する孔の内周面に、前記内周面における第１の接続部の軸線方向に延在する凸形状部が形成されているので、この凸条形状部により酸素供給チューブの外周面が前記内周面から離間されて、酸素供給チューブの外周面と前記内周面の間に前記軸線方向に延在する通気路が形成される。
【００１８】
請求項５に係る発明は、請求項３記載のコネクタ構造であって、前記形状部は、前記内周面に形成され、前記内周面における前記軸線方向と交差する方向に延在して形成された凸条形状部であることを特徴とする。
【００１９】
この発明に係るコネクタ構造によれば、例えば、ねじ山のようにリード角を有した螺旋状の凸形状部が第１の接続部の内周面における軸線方向と交差して形成されているので、誤って挿入された酸素供給チューブを第１の流路の内周側に保持させ易く、酸素供給チューブの外周面と前記内周面との間に内周面の全周又は広い範囲にわたって通気路を形成することが可能とされる。したがって、呼気を安定して排出することができる。
【００２０】
請求項６に係る発明は、請求項３記載のコネクタ構造であって、前記形状部は、前記内周面に形成され、前記気管チューブ側から外気に連通される凹溝形状部により構成されていることを特徴とする。
【００２１】
この発明に係るコネクタ構造によれば、第１の接続部の内周面に凹溝形状部が形成されるので第１の接続部に酸素供給チューブが誤接続された場合に、酸素供給チューブの外周面と凹溝形状部の間に確実に通気路が形成される。
【００２２】
請求項７に係る発明は、気管挿管自在とされる気管チューブと、人工呼吸機器と、人工呼吸に酸素を供給する酸素供給チューブとを備えた人工呼吸回路において用いられ、気管チューブと、人工呼吸機器との間の患者遠位側に配置されるコネクタ部材であって、請求項１から請求項６のいずれかに記載のコネクタ構造を備えていることを特徴とする。
【００２３】
請求項８に係る発明は、気管挿管自在とされる気管チューブと、人工呼吸機器と、人工呼吸に酸素を供給する酸素供給チューブとを備えた人工呼吸回路において用いられ、気管チューブと、人工呼吸機器との間の患者遠位側に配置される呼吸用温湿度交換器であって、請求項１から請求項６のいずれかに記載のコネクタ構造を備えていることを特徴とする。
【００２４】
請求項９に係る発明は、気管挿管自在とされる気管チューブと、人工呼吸機器と、人工呼吸に酸素を供給する酸素供給チューブとを備えた人工呼吸回路において用いられ、気管チューブと、人工呼吸機器との間の患者遠位側に配置されるエルボ部材であって、請求項１から請求項６のいずれかに記載のコネクタ構造を備えたことを特徴とする。
【００２５】
請求項１０に係る発明は、人工呼吸回路において用いられ、呼吸気管に挿管自在とされる気管チューブであって、請求項１から請求項６のいずれかに記載のコネクタ構造を備えたことを特徴とする。
【００２６】
この発明に係るコネクタ部材、呼吸用温湿度交換器、エルボ部材、気管チューブによれば、請求項１から請求項６に記載のいずれかのコネクタ構造を備えているので、第１の流路に酸素供給チューブの接続部が誤って第１の流路に挿入されることが防止され、また、誤って酸素チューブが挿入された場合であっても気管チューブ内から外気に連通する通気路を確保することができる。
【発明の効果】
【００２７】
この発明に係るコネクタ構造及び人工呼吸用部材によれば、閉塞防止手段を備えていて気管チューブ側と外気とを連通可能とする通気路が確保されるので、この通気路を通じて患者の呼気が外気に確実に流通可能とされる。その結果、酸素供給チューブが誤接続されることによって呼気困難の発生が確実に防止されて、それに起因する気圧外傷（バロトラウマ）の発生を防止することができる。
【発明を実施するための最良の形態】
【００２８】
以下、本発明の実施形態について、図面を参照して説明する。
図６は、この発明の第１の実施形態に係るコネクタ部材を示す図であり、符号１０はコネクタ部材を、符号６はカフ付気管チューブ（以下、気管チューブという）を示している。
【００２９】
コネクタ部材１０は、図１に示した人工呼吸機器２と、人工呼吸機器２による人工呼吸気に酸素を供給する酸素供給チューブ７とを備えた人工呼吸回路１において用いられ、患者Ｋの気管Ｋ１に挿管された気管チューブ６の患者遠位側（人工呼吸機器２側）に挿入して配置され、図２に示した人工鼻２０又は図３に示したエルボ部材３０等の人工呼吸用部材５とともに気管チューブ６と人工呼吸機器２に接続された呼吸回路４との間に介されて、気管チューブ６と人工呼吸機器２の間を流通自在に接続するものである。
【００３０】
人工鼻２０又はエルボ部材３０には、必要に応じて酸素供給チューブ７が接続自在とされており、酸素供給チューブ７は、例えば、前述の酸素供給チューブ７０Ａでは、図２に例示した人工鼻２０の酸素供給プラグ２６の孔に挿入される管路７２と、酸素供給プラグ２６に管路７２を固定、保持するためのホルダ部７４と、塩化ビニル等からなり可撓性を有する酸素供給チューブ本体７１とから構成されており、ホルダ７４は、ストッパ７３に規制された範囲内で軸線方向に移動自在とされ、酸素供給チューブ７０Ｂでは、ホルダ部７４に代えて先端側が拡径されるとともに径方向に拡径可能な可撓性を有するホルダ部７６を有し、図３に例示したエルボ部材３０の酸素供給プラグ３６を保持可能とされている。
【００３１】
人工鼻２０は、ハウジング２１と、ハウジング２１の患者遠位側に配置されハウジング２１と一体とされるとともに内方に第１の流路２２Ａが形成された第１の接続部２２と、患者側プラグ２４と、酸素供給プラグ２６と、ハウジング２１内に収納される湿熱蓄積体２７とを備えており、患者遠位側の第１の接続部２２には呼吸回路４の患者側接合部とが接続可能とされ、酸素供給プラグ２６には酸素供給チューブ７（図２の例では、酸素供給チューブ７０Ａ）が接続自在とされている。
【００３２】
エルボ部材３０は、Ｌ字形に形成され内部に流路３１Ａが形成されたハウジング３１と、ハウジング３１の患者遠位側に一体に形成された第１の接続部３２と、患者遠位側に配置されハウジング３１と一体とされるとともに内方に第１の流路３２Ａが形成された第１の接続部３２と、患者側プラグ３４と、酸素供給プラグ３６とを備えており、酸素供給プラグ２６には酸素供給チューブ７（図３の例では、酸素供給チューブ７０Ｂ）が接続自在とされている。
【００３３】
上記人工鼻２０の第１の接続部２２、及びエルボ部材３０の第１の接続部３２は、例えば、ＩＳＯ  ５３６１  「麻酔及び呼吸器具−気管チューブ及びコネクタ」、ＪＩＳ  Ｔ  ７２２１「気管チューブ及びコネクタ」の規格が適用された１５Ｍ円錐接合の雄テーパ形状に形成されてそれぞれ呼吸回路４に接続可能とされている。患者側プラグ２４、３４は、軸線Ｏ２を軸線として外周面２４Ｂ、３４Ｂの先端側がわずかに縮径されたテーパ形状とされるとともに内周面２４Ｃ，３４Ｃの先端側がわずかに拡径されたテーパ形状とされた、例えば、いわゆる２２Ｍ／１５Ｆ円錐同軸接合（ＩＳＯ  ５３６１、以下同じ）とされている。
【００３４】
第１の実施形態に係るコネクタ部材１０は、図６に示すように、第１の接続部１２と、第２の接続部１３とを備え、第１の接続部１２は患者遠位側に配置されるとともに内方には第１の接続部１２の軸線方向に第１の流路１２Ａを画成する孔が形成され、この孔を形成する第１の接続部１２の内周面１２Ｃは患者遠位側の開口部がわずかに拡径されるテーパ形状に形成されている。
また、この実施形態に係るコネクタ部材１０において、第１の接続部１２と、第１の接続部１２の内方に形成される第１の流路１２Ａとは、コネクタ構造を構成している。
【００３５】
第２の接続部１３は、気管チューブ６側に配置されて、外周面１３Ｂは、気管チューブ６側がわずかに縮径されたテーパ形状とされるとともに内方には第２の流路１３Ａを画成する孔が第２の接続部１３の軸線方向に形成され、第２の流路１３Ａは、第１の流路１２Ａと連通可能に接続されていて、第１の接続部１２の患者遠位側の開口部と、第２の接続部１３の気管チューブ６側の開口部との間には呼吸気が流通可能とされている。
また、第２の接続部１３に基端側（第１の接続部１２側）には、長方形の長手方向の両端部が円弧状とされた壁部１０Ｈが第２の接続部１３の径方向外方に延出して形成されている。
【００３６】
この実施形態において、第１の接続部１２は、１５Ｍ円錐接合の雄テーパ形状とされて、呼吸回路４の患者側プラグや、人工鼻２０の患者側プラグ２４又はエルボ部材３０の患者側プラグ３４に挿入、接続可能とされている。
【００３７】
また、第１の実施形態のコネクタ部材１０は、凸条形状部１５備えており、凸条形状部１５は、第１の接続部１２の内周面１２Ｃに第１の接続部１２の軸線Ｏ１方向に延在して形成される軸方向凸条形状部１５Ａと、軸方向凸条形状部１５Ａに継続して第１の流路１２Ａの底面１２Ｄにその径方向内方に向って第２の流路１３Ａに到達するまで形成される径方向凸条形状部１５Ｂとから構成されており、凸条形状部１５は、軸線Ｏ１に対称な位置に２本形成されている。
【００３８】
したがって、この実施形態に係るコネクタ構造によれば、第１の接続部１２の第１の流路１２Ａに、酸素供給チューブ７０Ａ、７０Ｂが誤って挿入された場合であっても、ホルダ７４、７６が軸方向凸条形状部１５Ａによって内周面１２Ｂから離間されて内周面１２Ｂとホルダ７４、７６の外周面７４Ｂ、７６Ｂとの間に隙間が形成されるので、気管チューブ６内から外気に連通する通気路Ｐが形成されて気管チューブ６内が外気に対して閉塞されるのが防止される。その結果、患者Ｋの呼気が気管チューブ６内から外気に確実に排出されて、気管チューブ６内の圧力が所定の値以上に上昇することが防止される。
【００３９】
また、第１の接続部１２の底面１２Ｄに径方向凸条形状部１５Ｂが形成されているので、ホルダ７４、７６が第１の流路１２Ａの長さに比較して長く形成され、ホルダ７４、７６の端面が底面１２Ｄ側に当接する場合であっても、底面１２Ｄとホルダ７４、７６との間に隙間が形成されて、第１の流路１２Ａと第２の流路１３Ａとが連通する通気路Ｐが確保される。
【００４０】
次に、この発明の第２の実施形態を説明する。
図７は、第２の実施形態を示す図である。
なお、上記の第１の実施の形態と同一の部分については、同一の符号を付し、その説明を省略する。
この実施の形態が、前述した第１の実施形態と異なる点は、第１の接続部１２の内周面１２Ｃに形成された軸方向凸条形状部１５Ａが第１の流路１２Ａの開口部から底面１２Ｄまでの間の一部のみに形成されている点である。
【００４１】
その結果、この実施形態に係るコネクタ構造によれば、第１の流路１２Ａに、酸素供給チューブ７０Ａ、７０Ｂが誤って挿入された場合に、酸素供給チューブ７０Ａ、７０Ｂのホルダ７４、７６の外周面７４Ｂ、７６Ｂと第１の流路１２Ａの内周面の間に大きな面積を有する通気路が形成可能とされるので、気管チューブ６内の呼気が外気に容易に排出可能とされる。
【００４２】
次に、この発明の第３の実施形態を説明する。
図８は、第３の実施形態を示す図である。なお、上記第１の実施の形態と同一の部分については、同一の符号を付し、その説明を省略する。
この実施の形態が、前述した第１の実施形態と異なる点は、第１の接続部１２の内周面１２Ｃに形成された軸方向凸条形状部１５Ａに代えて、内周面１２Ｃにおける軸線Ｏ１方向に対して所定の角度を以って軸線Ｏ１と交差する方向に延在し、所定のリード角で軸線方向に進む軸方向凸条形状部１６が形成されている点である。この軸方向凸条形状部１６は、流路１２Ａの開口部から底面１２Ｄに至るまでの間に９０°捩れるように形成されている。
【００４３】
この実施形態に係るコネクタ構造によれば、第１の流路１２Ａに酸素供給チューブ７０Ａ、７０Ｂが誤って挿入された場合に、それぞれ周方向に９０°にわたって捩れながら軸線Ｏ１方向に延在する軸方向凸条形状部１５Ａが、酸素供給チューブ７０Ａ、７０Ｂのホルダ７４、７６が第１の流路１２Ａの内周側に安定して保持され、ホルダ７４、７６の外周面７４Ｂ、７６Ｂの周囲に径方向に略同一とされる幅の隙間が形成されるので、気管チューブ６の内方と外気との間に安定した通気路Ｐが形成される。なお、図８においては、便宜のため、流路１２Ａの開口部から底面１２Ｄに至るまでの間にわたって軸方向凸条形状部１５Ａが形成されていない部分を網掛けとして通気路Ｐとしているが、通気路は、軸方向凸条形状部１５Ａの上方及び下方にも形成されるので、軸方向凸条形状部１５Ａの周方向の厚みを除く部分全体にわたることはいうまでもない。
その結果、気管チューブ６内の呼気を充分に排出することができる。
【００４４】
次に、この発明の第４の実施形態を説明する。
図９は、第４の実施形態を示す図である。
なお、上記の第１の実施の形態と同一の部分については、同一の符号を付し、その説明を省略する。
この実施の形態においては、第１の接続部１２の内方に形成される内周面１２Ｂに凹溝形状部１７が形成されており、凹溝形状部１７は、第１の接続部１２の内周面１２Ｃに軸線Ｏ１方向に沿って延在する軸方向凹溝形状部１７Ａと、この軸方向凹溝形状部１７Ａに継続して形成され底面１２Ｄにおいて第２の流路１３Ａに到達するまで径方向内方に延在する径方向凹溝形状部１７Ｂとを備えており、凹溝形状部１７は、軸線Ｏ１に対象とされる対向する位置に２本形成されている。
【００４５】
この実施形態に係るコネクタ構造によれば、酸素供給チューブ７０Ａ、７０Ｂが第１の接続部１２の第１の流路１２Ａに誤って挿入された場合に、第１の接続部１２の内周面１２Ｃに軸方向凹溝形状部１７Ａが形成されるので第１の接続部１２に酸素供給チューブ７０Ａ、７０Ｂが誤接続された場合でも、内周面１２Ｃと酸素供給チューブ７０Ａ、７０Ｂの接続部との間に確実に通気路Ｐが形成される。
また、第１の接続部１２の底面１２Ｄに径方向凹溝形状部１７Ｂが形成されているので、底面１２Ｄにホルダ７４、７６が当接した場合であっても、ホルダ７４、７６との間に凹溝形状部による通気路が形成される。
【００４６】
次に、この発明の第５の実施形態を説明する。
図１０は、第５の実施形態を示す図である。
なお、上記の第４の実施の形態と同一の部分については、同一の符号を付し、その説明を省略する。
この実施の形態が、前述した第４の実施形態と異なる点は、第１の接続部１２の内周面１２Ｃに形成された軸方向凹溝形状部１７Ａに代えて、内周面１２Ｃにおける軸線Ｏ１方向に対して所定の角度を以って軸線Ｏ１と交差する方向に延在し、所定のリード角で軸線方向に進む軸方向凹溝形状部１７Ａが形成されている点である。この軸方向凹溝形状部１７Ａは、流路１２Ａの開口部から底面１２Ｄに至るまでの間に９０°捩れるように形成されている。
【００４７】
この実施形態に係るコネクタ構造によれば、酸素供給チューブ７０Ａ、７０Ｂが、第１の流路１２Ａに、誤って挿入された場合に、酸素供給チューブ７０Ａ、７０Ｂのホルダ７４、７６の外周面７４Ｂ、７６Ｂの外方に軸方向凹溝形状部１７Ａが確実に形成されるので、気管チューブ６の内方と外気との間に安定した通気路Ｐが形成される。その結果、気管チューブ６内の呼気が充分に排出可能とされる。
【００４８】
次に、この発明の第６の実施形態を説明する。
図１１は、第６の実施形態を示す図であり、第１の接続部１２の第１の流路１２Ａを構成する内周面１２Ｃを軸線Ｏ１方向からみた図である。
なお、図１１で示した部分以外は、上記の第１の実施の形態と同一であるため、その説明を省略する。
この実施の形態が、前述した第１の実施形態と異なる点は、第１の流路１２Ａを構成する内周面１２Ｃが、２点鎖線で示した軸線Ｏ1を中心とした円形状１２ｆと一致せず軸線Ｏ１からの距離が円形状１２ｆよりも大きく形成される部分（形状部）を有している点である。
【００４９】
この実施形態に係るコネクタ構造によれば、第１の接続部１２の内周面１２Ｃを構成する形状が軸線Ｏ１を構成する形状よりも大きく形成されているので、酸素供給チューブ７０Ａ、７０Ｂのホルダ７４、７６が、誤って第１の流路１２Ａに挿入されたときに、ホルダ７４、７６の外周面７４Ｂ、７６Ｂと前記内周面との間に通気路Ｐが形成される。
その結果、通気路Ｐを通じて、機関チューブ６内が外気に対して連通されるとともに、ホルダ７４、７６が流路１２Ａに固定され難いために第１の流路１２Ａの閉塞が抑制される。
なお、上記円形状１２ｆと一致せずに軸線Ｏ１からの距離が円形状１２ｆよりも大きく形成される部分については、他の形状を採用することも可能であるし、軸線Ｏ１に対象であることは必要とされないことはいうまでもない。
【００５０】
次に、この発明の第７の実施形態を説明する。
図１２は、第７の実施形態を示す図である。
なお、上記の第１の実施の形態と同一の部分については、同一の符号を付し、その説明を省略する。
この実施の形態が、前述した第１の実施形態と異なる点は、第１の接続部１２の内周面１２Ｃに、軸線方向凸状形状部１５Ａに代えて、内周面１２Ｃに軸線Ｏ１方向に延在し、内周面１２Ｃから内周側に伸びる接続防止壁部１９が形成されている点であり、その結果、酸素供給チューブ７０Ａ、７０Ｂのホルダ７４、７６が第１の流路１２Ａに挿入されるのを確実に防止することができる。
【００５１】
この実施形態のコネクタ構造によれば、第１の流路１２Ａに酸素供給チューブ７０Ａ、７０Ｂが挿入不可能とされるので、酸素供給チューブ７０Ａ、７０Ｂによる第１の流路１２Ａの閉塞を確実に防止することができる。
なお、接続防止壁部１９を底面１２Ｄに設けて、例えば、第１の流路１２Ａの開口部に向って立設させる構成とすることも可能である。
【００５２】
なお、本発明は上記実施の形態に限定されるものではなく、その趣旨を逸脱しない範囲で適宜変更可能である。
上記第１の実施形態においては、コネクタ構造を、気管チューブ６の患者遠位側に接続されるコネクタ部材１０の第１の接続部に用いる場合について説明したが、このコネクタ構造を、人工鼻２０の患者遠位側の第１の接続部２２や、エルボ部材３０の患者遠位側の第１の接続部３２に対して用いることも可能である。
【００５３】
また、上記第１から第５の実施の形態においては、第１の接続部１２の内周面１２Ｃに、それぞれ２本の凸条形状部１５、１６、又は凹溝形状部１７、１８が形成される場合について説明したが、これら形状部は１本以上を形成されていればよく任意の数の形状部を形成することも可能である。
また、凸条形状部１５、１６が、底面１２Ｄから第１の流路１２Ａの開口部まで延在して形成される場合について説明したが、底面１２Ｄから開口部までの範囲の必要な位置にのみ凸形状部１５、１６を設けることも可能である。
【００５４】
また、上記第１から第５の実施の形態においては、底面１２Ｄに形成した径方向凸条形状部１５Ｂ、１６Ｂ、又は径方向凹溝形状部１７Ｂ、１８Ｂが、内周面１２Ｃから第２の流路１３Ａに直線的に伸びる場合について説明したが、螺旋等の曲線状に形成されていてもよい。
また、酸素供給チューブ７０Ａ、７０Ｂが第１の流路１２Ａに誤って挿入された場合に、酸素供給チューブ７０Ａ、７０Ｂが底面１２Ｄに到達しない程度に第１の流路１２Ａの軸線Ｏ１方向の長さが充分に確保されている場合には、径方向凸条形状部１５Ｂ、１６Ｂ、又は径方向凹溝形状部１７Ｂ、１８Ｂを形成させない構成とすることも可能である。
【００５５】
また、上記実施の形態においては、コネクタ部材１０の第１の接続部１２及び第２の接続部１３、人工鼻２０の接続部２２、エルボ部材３０の接続部３２がともに円筒形状とされる場合について説明したが、上述のＩＳＯ規格以外の接続構成に対しても用いることが可能である。
【００５６】
また、上記第１から第５の実施の形態において、２本の形状部が同一の場合について説明したが、凸条形状部１５、１６、凹溝形状部１７、１８を任意に組合せて用いてもよく、またこれらと第６の実施形態に係る形状部とを組合せることも可能である。
また、上記第７の実施の形態において、接続防止壁部１９が、第１の流路１２Ａの底面１２Ｄから開口部に亙って形成された１つの平板状に形成された壁部として構成された場合について説明したが、接続防止壁部１９の長さ、位置、形状、数量、例えば軸線Ｏ１に対する配置等は、任意に設定可能であることはいうまでもない。
【図面の簡単な説明】
【００５７】
【図１】人工呼吸回路の構成の例を示す図である。
【図２】図１における人工呼吸回路に用いられる人工鼻とその接続例を示す図である。
【図３】図１における人工呼吸回路に用いられるエルボ部材とその接続例を示す図である。
【図４】人工呼吸回路において用いる酸素供給チューブの例を示す図である。
【図５】気管チューブの遠位側に配置されたコネクタ部材に対して酸素供給チューブを誤接続した場合の例を示す図である。
【図６】本発明の第１の実施形態に係るコネクタ構造を用いたコネクタ部材を示す図であり、（Ａ）は縦断面図を、（Ｂ）は第１の接続部のコネクタ構造を患者遠位側からみた図である。
【図７】本発明の第２の実施形態に係るコネクタ構造を用いたコネクタ部材を示す図であり、（Ａ）は縦断面図を、（Ｂ）は第１の接続部のコネクタ構造を患者遠位側からみた図である。
【図８】本発明の第３の実施形態に係るコネクタ構造を用いたコネクタ部材を示す図であり、（Ａ）は縦断面図を、（Ｂ）は第１の接続部のコネクタ構造を患者遠位側からみた図である。
【図９】本発明の第４の実施形態に係るコネクタ構造を用いたコネクタ部材を示す図であり、（Ａ）は縦断面図を、（Ｂ）は第１の接続部のコネクタ構造を患者遠位側からみた図である。
【図１０】本発明の第５の実施形態に係るコネクタ構造を用いたコネクタ部材を示す図であり、（Ａ）は縦断面図を、（Ｂ）は第１の接続部のコネクタ構造を患者遠位側からみた図である。
【図１１】本発明の第６の実施形態に係るコネクタ構造を患者遠位側からみた図である。
【図１２】本発明の第７の実施形態に係るコネクタ構造を用いたコネクタ部材を示す図であり、（Ａ）は縦断面図を、（Ｂ）は第１の接続部のコネクタ構造を患者遠位側からみた図である。
【符号の説明】
【００５８】
Ｋ    患者
Ｋ１  呼吸気管
Ｐ    通気路
１    人工呼吸回路
２    人工呼吸機器
４    呼吸回路
５    人工呼吸用部材
６    気管チューブ
７    酸素供給チューブ
１０    コネクタ部材
１２    第１の接続部
１２Ａ  第１の流路
１２Ｃ  内周面
１３    第２の接続部
１３Ａ  第２の流路
１５、１６  凸条形状部
１７、１８  凹溝形状部
１９    接続防止壁部
２０    人工鼻
３０    エルボ部材
【図１】
2008125809.tif 000003
【図２】
2008125809.tif 000004
【図３】
2008125809.tif 000005
【図４】
2008125809.tif 000006
【図５】
2008125809.tif 000007
【図６】
2008125809.tif 000008
【図７】
2008125809.tif 000009
【図８】
2008125809.tif 000010
【図９】
2008125809.tif 000011
【図１０】
2008125809.tif 000012
【図１１】
2008125809.tif 000013
【図１２】
2008125809.tif 000014